(57)【要約】【課題】ベッド上に横たわっている使用者の睡眠を効果的に誘導することができるベッドを提供する。【解決手段】ベッドは、使用者が横たわる寝具１６を載置する載置面１０をもつベッド本体１と、ベッド本体１上に横たわる使用者の足側に位置するようにベッド本体１に設けられたフットボード１１とをもつ。ベッド本体１上に横たわる使用者の足の少なくとも足裏面に振動を与える振動部３０がフットボード１１に設けられている。【選択図】図１
2005349005.tif 000002
【特許請求の範囲】
【請求項１】
使用者が横たわる寝具を載置する載置面をもつベッド本体と、前記ベッド本体上に横たわる使用者の足側に位置するように前記ベッド本体に設けられたフット側部材とをもつベッドにおいて、前記ベッド本体上に横たわる使用者の足の少なくとも足裏面に振動を与える振動部が前記フット側部材に設けられていることを特徴とするベッド。
【請求項２】
使用者が横たわる寝具を載置する載置面をもつベッド本体をもつベッドにおいて、前記ベッド本体上に横たわる使用者の足の少なくとも足裏面に振動を与える振動部と前記振動部を保持するハウジングとを有する振動ユニットをもち、
前記振動ユニットは、前記ベッド本体のうち前記ベッド本体上に横たわる使用者の足側に位置するように前記ベッド本体に設けられていることを特徴とするベッド。
【請求項３】
請求項１または請求項２において、前記ベッド本体上に横たわる使用者の足の足裏面に対向する足裏対向面を有する足枕が設けられており、前記振動部は前記足枕の前記足裏対向面に振動を伝播させることを特徴とするベッド。
【請求項４】
請求項３において、前記足枕は、前記ベッド本体上に横たわる使用者の足の足裏面に対向する足裏対向面の他に、前記ベッド本体上に横たわる使用者の足のふくらはぎに対向する足側対向面を有しており、前記振動部は前記足枕の前記足裏対向面および前記足側対向面に振動を伝播させることを特徴とするベッド。
【請求項５】
請求項１〜請求項４のうちのいずれか一項において、前記ベッド本体上に横たわる使用者の身体を暖める加熱部が設けられていることを特徴とするベッド。
【発明の詳細な説明】
【技術分野】
【０００１】
本発明は使用者が睡眠のために横たわるベッドに関する。
【背景技術】
【０００２】
現代、使用者は、急激な社会環境の変化により、通常の社会生活においても知らず知らずのうちに多大なストレスが加わっている。近年、クオリティー・オブ・ライフ（生活の質）の向上についての関心が高まり、これらストレスを解消する手法についても種々提案されている。その中でも、ストレス解消効果の観点からは質の高い睡眠を確保することが重要であることが知られているが、質の高い睡眠を確保することは困難になっている。ここで、質の高い睡眠を実現するために音楽や振動を利用することが効果的であることが知られており、従来、使用者の頭部の左右に配置したスピーカと、使用者の足部の左右に配置した振動装置とを有する寝具が提案されている（特許文献１）。心地よい音楽や振動を入眠時乃至は睡眠中に身体に加えることで高いリラクゼーション効果が発揮でき質の高い睡眠が得られるものと考えられる。
【特許文献１】特開２０００−８３７６６号公報
【発明の開示】
【発明が解決しようとする課題】
【０００３】
また、産業界では、ベッド上に横たわっている使用者の睡眠を効果的に誘導することができるベッドの開発が要望されている。
【０００４】
本発明は上記した実情に鑑みてなされたものであり、ベッド上に横たわっている使用者の睡眠を効果的に誘導することができるベッドを提供することにある。
【課題を解決するための手段】
【０００５】
第１発明に係るベッドは、使用者が横たわる寝具を載置する載置面をもつベッド本体と、ベッド本体上に横たわる使用者の足側に位置するようにベッド本体に設けられたフット側部材とをもつベッドにおいて、ベッド本体上に横たわる使用者の足の少なくとも足裏面に振動を与える振動部がフット側部材に設けられていることを特徴とするものである。フット側部材はベッド本体のうちベッド本体に横たわる使用者の足側に設けられている部材である。フット側部材は、一般的には、ベッド本体に載せられている寝具のずれを抑制する機能を奏する。フット側部材としては、ベッド本体に取り付けられたフットボードとすることができるが、必ずしもボード状に限定されず、パイプや棒材等をフレーム状に組み付けたものでも良い。フット側部材は、ベッド本体に一体的に取り付けられていても良いし、あるいは、分離可能に設けられていても良い。
【０００６】
第１発明に係るベッドによれば、ベッド本体上に横たわる使用者の足の少なくとも足裏面に振動部が振動を与える。足裏面にはいわゆるツボが集中しており、刺激に敏感であるため、ベッド本体上に横たわる使用者の睡眠が誘導され易い。即ち『誘眠作用』が得られる。
【０００７】
第２発明に係るベッドは、使用者が横たわる寝具を載置する載置面をもつベッド本体をもつベッドにおいて、ベッド本体上に横たわる使用者の足の少なくとも足裏面に振動を与える振動部と振動部を保持するハウジングとを有する振動ユニットをもち、振動ユニットは、ベッド本体のうちベッド本体上に横たわる使用者の足側に位置するようにベッド本体に設けられていることを特徴とするものである。第２発明に係るベッドによれば、ベッド本体上に横たわる使用者の足の少なくとも足裏面に振動部が振動を与える。足裏にはいわゆるツボが集中しており、刺激に敏感であるため、ベッド本体上に横たわる使用者の睡眠が誘導される。即ち『誘眠作用』が得られる。更に、振動ユニットは、ベッド本体のうちベッド本体上に横たわる使用者の足側に位置するようにベッド本体に設けられている。このため振動ユニットはフットボード等のフット側部材として機能することも期待でき、ベッド上の寝具のずれ移動等を抑制することができる。
【発明の効果】
【０００８】
第１、第２発明に係るベッドによれば、ベッド本体上に横たわる使用者を睡眠に誘導するのに有利である。更に第１発明に係るベッドによれば、使用者の足裏面に振動を与える振動部がフットボード等のフット側部材に設けられているため、フットボード等のフット側部材が振動部を保護するハウジングやケーシングの作用を奏し、振動部に対する保護性、耐久性を向上させることができ、振動部の長寿命化に有利となる。更に、振動部がフットボード等のフット側部材に設けられているため、寝具等に振動部が内蔵されている形態に比較して、使用者が振動部を踏んで損傷させるといった不具合を解消することができる。
【０００９】
また第２発明に係るベッドによれば、振動ユニットは、ベッド本体のうちベッド本体上に横たわる使用者の足側に位置するようにベッド本体に設けられている。このため振動ユニットはフットボード等のフット側部材として機能することも期待でき、ベッド上の寝具のずれ移動等を抑制することができる。更に、振動部が使用者の足側に位置するようにベッド本体に設けられているため、寝具等に振動部が内蔵されている形態に比較して、使用者が振動部を踏んで損傷させるといった不具合を解消することができる。
【発明を実施するための最良の形態】
【００１０】
本発明に係るベッドによれば、好ましくは、ベッド本体上に横たわる使用者の足の足裏面に対向する足裏対向面を有する足枕が設けられている。そして振動部の振動枕の足裏対向面に振動を伝播させる形態を採用することができる。足裏対向面は、立直面状としても良いし、あるいは、ベッド本体上に横たわる使用者の足の足裏面と近似した凹凸形状とすることもできる。好ましくは、足枕は、ベッド本体上に横たわる使用者の足の足裏面に対向する足裏対向面の他に、ベッド本体上に横たわる使用者の足のふくらはぎに対向する足側対向面を有しており、振動部の振動は足枕の足裏対向面および足側対向面に振動を伝播させる形態を採用することができる。振動部の振動方向は特に限定されない。振動部は、使用者の足の足裏面と交差する方向に配置されていても良いし、使用者の足の足裏面に沿って配置されていても良い。振動部の振動方向は、使用者の足の足裏面に沿っていても良いし、使用者の足の足裏面と交差する方向に沿っていても良いし、あるいは他の方向でも良い。
【００１１】
また、好ましくは、ベッド本体上に横たわる使用者の身体を暖める加熱部が設けられている形態を採用することができる。加熱部としては、使用者の足、殊に足裏面、ふくらはぎ、足首等の少なくとも一つを加熱することができる。加熱部が設けられていれば、ベッド上に横たわっている使用者の身体を暖めることができ、適度な振動と暖めとを併用した複合作用により『誘眠効果』を更に向上させることができる。特に、冷え症に悩む使用者（女性、高齢者等）に適する。加熱部は、ベッド上の寝具、フット側部材等少なくとも一つに設けることができ、足枕が設けられているときには、足枕に加熱部を設けることができる。加熱部は電気で加熱される電気ヒータ式が好ましいが、蓄熱機能または発熱機能を有する他の方式でも良い。
【実施例】
【００１２】
以下、本発明の実施例について図１〜図４を参照して説明する。ベッドは、使用者が横たわる寝具１６（マットレス）を載置する載置面１０をもつベッド本体１と、ベッド本体１の載置面１０上に載置された寝具１６（マットレス）に横たわる使用者の足側に位置するようにベッド本体１に設けられたフット側部材としてのフットボード１１と、ベッド本体１の載置面１０上の寝具１６に横たわる使用者の頭側に位置するようにベッド本体１に設けられたヘッド側部材としてのヘッドボード１２とをもつ。フットボード１１は、ヘッドボード１２に対向する第１表面１１ｆと、ヘッドボード１２に背向する第２表面１１ｓをもつ。ベッド本体１はサイドボード１３をもつ。ベッド本体１上の載置面１０に載置された寝具１６に使用者が横たわるとき、その使用者の足の少なくとも足裏面に適度な振動を与える振動ユニット３がフットボード１１に設けられている。この場合、図４から理解できるように、第１表面１１ｆ及び第２表面１１ｓに開口するようにフットボード１１に形成された開口部１１ｘをもつ空洞部１１ｗに振動ユニット３が嵌め込まれている。その状態で、図略の取付具により振動ユニット３は、ベッド本体１のヘッドボード１２に対向するように、つまり、使用者の足の足裏面に対向するように保持されている。このようにして振動ユニット３はフットボード１１に内蔵されている。フットボード１１の材質は特に限定されず、木製でも、金属製でも、樹脂製でも良い。なお、空洞部１１ｗは、フットボード１１の第１表面１１ｆ及び第２表面１１ｓの双方に開口するが、これに限らず、第１表面１１ｆ及び第２表面１１ｓのいずれか一方に開口する形態でも良い。
【００１３】
振動ユニット３は、ベッド本体１上に横たわる使用者の足の足裏面に振動を与えるように使用者の幅方向（矢印Ｗ方向）に沿って複数個並設された振動部３０と、複数個の振動部３０をまとめて保持する伝播材料で形成された保持部３１とを有する。保持部３１を構成する伝搬材料としては特に限定されず、樹脂系、ゴム系、金属系等を採用することができる。振動部３０は振動機能を有するものである。振動部３０の振動原理としては、磁気で振動子を振動させる方式、圧電作用で振動子を振動させる方式、磁歪作用で振動子を振動させる方式、モータ駆動により振動子を振動させる方式等のように公知の振動方式を採用することができる。振動部３０は足枕４を介して使用者の足の足裏面に振動を与える。
【００１４】
足枕４は、少なくとも一部が振動ユニット３に接触するように、ベッド本体１の載置面１０上の寝具１６に脱着可能に載せられている。足枕４は、寝具１６（マットレス）に沿って延設された横部４２と、ベッド本体１に横たわっている使用者の足の足裏面及び振動ユニット３の双方に対向するように横部４２からフットボード１１に沿って上向きに立設された縦部４１とを有しており、側面４ｓ及び端面４ｋを有する。
【００１５】
足枕４は、使用者の足の足裏面に対向する足裏対向面４３と、ベッド本体１上に横たわる使用者の足のふくらはぎ及び足首に対向する足側対向面４４とを有する。ここで、足裏対向面４３は足枕４の縦部４１の側面に設けられている。足裏対向面４３は、使用者の足裏面の土踏まず領域に対面するように膨出する膨出部４３ａを有する。足側対向面４４は足枕４の横部４２の上面に設けられている。足枕４の足側対向面４４は使用者のふくらはぎ及び足首の形状に近似した形状をもち、使用者の足の足首に対面する突部４５をもつ。なお足枕４は足に負担がかからない材料を基材として形成することができる。このように基材としては、ウレタン樹脂、綿、羽毛、ビーズ、ゲル材料などのうちの少なくとも１種が例示されるが、これらに限定されるものではない。必要に応じて足枕４を硬くしても良い。
【００１６】
使用者がベッド上で横たわることを検知する横たわりセンサと、使用者が睡眠に入ったことを推定または検知する睡眠センサとを設けることができる。この場合、使用者がベッド本体１に横たわった信号が横たわりセンサに入力されたら、振動部３０が振動を開始し、そして、睡眠センサの信号により振動部３０の振動を停止することが好ましい。使用者の横たわりを検知する横たわりセンサとしては、例えば、使用者の体重を検知するためにの寝具１６に内蔵された加圧センサで形成することができる。あるいは、横たわりセンサとしては、使用者の意思に基づいて使用者の指先等で操作されるスイッチで形成することができる。また睡眠センサとしては、振動部３０による振動が開始されてから所定時間経過したら、使用者が睡眠に誘導されたと推定するタイマー機能をもつものとすることができる。また睡眠センサとしては、ベッド上に横たわっている使用者の呼吸及びまたは心臓の鼓動に基づく物理量の変化（例えば胸または腹の変位量、胸または腹の変位周期、鼓動の変位量、鼓動の周期）を検知するセンサを例示することができる。あるいは、睡眠センサとしては、使用者の脳波を検知するセンサ、使用者のいびき音等を検知するいびき音センサを例示することができる。
【００１７】
使用時には、ベッド本体１の載置面１０上に載置されている寝具１６（マットレス）に、睡眠しようとする使用者が布団等を介して横たわる。使用者の足は足枕４に載せられる。この場合、一般的には、ベッド本体１上に横たわる使用者の足のふくらはぎ及び足首は、足枕４の足側対向面４４に載せられて対向する。また使用者の足の足裏面は足枕４の足裏対向面４３に対向する。この状態で、振動ユニット３の振動部３０が振動する。振動部３０の振動は振動として足枕４の足裏対向面４３に伝播され、使用者を睡眠に誘導するように使用者の足の足裏面を刺激する。これによりベッド本体１上に横たわっている使用者を睡眠に誘導することができ、即ち『誘眠作用』を高めることができる。更に、足枕４の足側対向面４４を介して、使用者の足のふくらはぎ及び足首にも適度な振動が与えられるため、使用者を睡眠に更に誘導し易くなる。上記したようにフットボード１１に内蔵されている振動部３０の振動を足枕４を介して伝播させるため、振動が足枕４により適度に減衰され、振動部３０の振動が間接的に使用者の足に伝播されることになり、快適性を向上させることができる。
【００１８】
また本実施例によれば、振動ユニット３がフットボード１１に内蔵されており、『誘眠作用』を高める振動を、フットボード１１に対面する足枕４を介して使用者の足裏等に伝播させる。つまり、振動部３０を発振源として、足枕４を介して振動を使用者の足に伝搬させる。このため振動の伝搬は、ベッド本体１上の寝具１６（マットレス）の性能や硬さ等に影響されないか影響されにくい。故に使用者の好みの硬さ、形状等をもつ寝具１６（マットレス）を使用者は選択することができる。更に本実施例によれば、振動部３０をもつ振動ユニット３がフットボード１１の内部に埋設された状態で保持されているため、フットボード１１が振動ユニット３のハウジングやケーシングとしての機能を果たすことができ、振動部３０に対する耐衝撃性を向上させることができ、振動部３０に対する保護性及び耐久性を向上させることができ、振動部３０の長寿命化に有利である。更に、振動部３０がフットボード１１に内蔵されているため、寝具等に振動部が内蔵されている形態に比較して、使用者が振動部３０を踏んで損傷させるといった不具合を解消することができる。
【００１９】
また、図５に示す実施例では、振動ユニット３は、ベッド本体１のフットボード１１に内蔵されているものの、ベッド本体１の載置面１０に載せられている寝具１６（マットレス）の端部１６ｅに対向する位置に設けられている。この場合、振動ユニット３の振動部３０の振動は主として寝具１６（マットレス）の端部１６ｅを介して使用者の足（ふくらはぎ、足首、足裏面）に伝播される。この振動はマットレス上の足枕４の足裏対向面４３を介して使用者の足の足裏面にも伝播される。更にまた、図６に示す実施例のように、上側に配置された第１の振動ユニット３ｆと下側に配置された第２の振動ユニット３ｓとを併用しても良い。第１の振動ユニット３ｆは、使用者の足の足裏面に対向するようにフットボード１１の上部に内蔵されている。第２の振動ユニット３ｓは、ベッドのフットボード１１のうちベッド本体１の載置面１０に載せられている寝具１６（マットレス）の端部１６ｅに対向するようにフットボード１１の高さ方向の中間部に内蔵されている。なお、上記した実施例では、振動部３０は足枕４を介して間接的に使用者の足の足裏面に振動を与えることにしているが、これに限定されず、足枕４を用いることなく、振動ユニット３は使用者の足の足裏面に直接的に振動を与えることにしても良い。
【００２０】
（他の実施例）
図７に示す実施例では、足枕４と寝具１６（マットレス）との境界域に位置するように、電気ヒータ式の加熱部５が足枕４の横部４２の下面に敷かれている。従って、ベッド上に横たわっている使用者の足を加熱部５により暖めることができ、振動と暖めとを併用した複合効果により、使用者を睡眠に誘導する『誘眠作用』を更に向上させることができる。特に、冷え症に悩む使用者（女性、高齢者等）の誘眠に適する。図７に示すように加熱部５は足枕４の下面に設けられているため、使用者の足の皮膚と加熱部５との直接的な接触を避けることができ、足に対する暖めが間接的になり、適度に暖めることができる。
【００２１】
図８に示す実施例では、ベッド本体１のフットボード１１のうち足枕４の縦部４１に対向する位置に、足裏面を加熱できる加熱部５が取り付けられている。ここで、図８に示すように足枕４の足裏対向面４３，加熱部５，振動ユニット３の順に配置されている。これによりベッド上に横たわっている使用者の足の足裏面のうち、振動ユニット３で振動を与える領域を加熱部５で効果的に暖めることができる。この場合にも、使用者の足の皮膚と加熱部５との直接的な接触を避けることができる。
【００２２】
図９に示す実施例では、寝具１６（マットレス）のうち使用者の足側の上面１６ｕに加熱部５が一体的に設けられている。この場合、ベッド上に横たわっている使用者の足の足裏面に振動ユニット３により振動を与えると共に、その足のふくらはぎ等を効果的に暖めることができる。この場合にも、振動と暖めとを併用した複合作用により使用者を睡眠に効果的に誘導する『誘眠作用』を向上させることができる。
【００２３】
図１０に示す実施例では、足枕４は、足枕４に適する材料で形成された足枕本体４０と、足枕本体４０の横部４２の下面に設けられた電気ヒータ式の加熱部５と、加熱部５及び足枕本体４０を覆う表層４６とを有する。加熱部５は主として足のふくらはぎ及び足首を暖めることができる。この場合にも、使用者の足の皮膚と加熱部５との直接的な接触を避けることができる。図１１に示す実施例では、足枕４は、足枕本体４０と、フットボード１１に対向する縦部４１の立面４１ｖ及び寝具１６に対面する横部４２の下面４２ｄにかけて設けられた電気式の加熱部５と、加熱部５及び足枕本体４０を覆う表層４６とを有する。加熱部５は使用者の足の足裏面、ふくらはぎ、足首を暖めることができる。
【００２４】
図１２に示す実施例では、足枕４は、足枕本体４０と、フットボード１１に対向するように縦部４１に埋設された遠赤外線効果をもつ第１加熱部５ｆと、寝具１６に対向するように横部４２に埋設された遠赤外線効果をもつ第２加熱部５ｓと、足枕本体４０を覆う表層４６とを有する。第１加熱部５ｆは足裏面を暖め、第２加熱部５ｓはふくらはぎ及び足首を暖めることができる。なお加熱部５ｆ、５ｓは備長炭、天然鉱石としても良い。
【００２５】
図１３に示す実施例では、足枕４は、使用者の足の足裏面に対向する足裏対向面４３と、ベッド本体１上に横たわる使用者の足のふくらはぎに対向する足側対向面４４とを有しており、更に、寝具１６（マットレス）の端部１６ｅとフットボード１１との間に挿入された延設部４８とを有する。フットボード１１に内蔵されている振動ユニット３が振動すると、その振動は足枕４の足裏対向面４３に伝播されるとともに、足枕４の延設部４８及び端部１６ｅを介して足枕４の足側対向面４４にも伝播させることができる。延設部４８は、足枕４のうち延設部４８以外の部分と同一の材料で形成しても良い。場合によっては、振動伝播の減衰を抑えるべく、延設部４８は、足枕４のうち延設部４８以外の部分よりも硬い材料で形成することもできる。
【００２６】
図１４に示す実施例では、足枕４は、使用者の足の足裏面に対向する直立状の足裏対向面４３と、ベッド本体１上に横たわる使用者の足のふくらはぎに対向する水平面状の足側対向面４４とを有する。この足枕４に足が載せられると、足枕４は軟質であるため、足枕４の形状は足の形状に沿って弾性変形する。
【００２７】
更に、図１５に示す実施例では、足枕４は、足枕本体４０と、フットボード１１に対向する縦部４１の立面４１ｖ及び寝具１６に対面する横部４２の下面４２ｄにかけて設けられた電気式の加熱部５と、加熱部５及び足枕本体４０を覆う表層４６とを有する。足枕本体４０は、使用者の足の足裏面に背向する足表面（足爪側の面）を覆う覆い部４７をもつ。これにより使用者の足のホールド性が向上し、使用者の足がフットボード１１から大きく離間することが抑制され、使用者の足の足裏面と足枕４の足裏対向面４３との接触性を維持するのに有利となる。
【００２８】
図１６に示す実施例では、ベッド本体１のサイドボード１３に、背の低いフットボード１１Ｂが設けられている。フットボード１１Ｂの上面１１ｕは寝具１６（マットレス）の上面１６ｕよりも低い位置とされている。このフットボード１１Ｂの上部に振動ユニット３Ｂが設けられている。振動ユニット３Ｂは、ベッド本体１上に横たわる使用者の足の足裏面に振動を与える複数個並設された振動部３０と、複数個の振動部３０をまとめて保持する伝播材料で形成された保持部３１と、保持部３１を収容する箱形状のハウジング３２とを有する。ハウジング３２の上面３２ｕはベッド本体１の載置面１０に載せられている寝具１６の上面１６ｕよりも上方に突出しており、従ってハウジング３２は寝具１６（マットレス）等がずれることを抑制でき、フットボードとして機能をすることも期待できる。
【００２９】
図１７に示す実施例では、ベッド本体１のサイドボード１３に振動ユニット３Ｃが取り付けられている。振動ユニット３Ｃは、ベッド本体１上に横たわる使用者の足の足裏面に与える複数個並設された振動部３０と、複数個の振動部３０をまとめて保持する伝播材料で形成された保持部３１と、保持部３１を収容する箱状のハウジング３２とを有する。振動ユニット３Ｃのハウジング３２は、ベッド本体１のうちベッド本体１上に横たわる使用者の足側に位置するようにベッド本体１に設けられている。ハウジング３２の上面３２ｕはベッド本体１の載置面１０に載せられている寝具１６の上面１６ｕよりも上方に突出しており、従って振動ユニット３Ｃのハウジング３２は寝具１６の位置ずれを抑制する機能を有する。このため振動ユニット３Ｃはフットボード１１として機能を兼用することも期待できる。図１８に示す実施例では、振動部３０の振動方向は、フットボード１１の高さ方向に沿った方向、つまり、足枕４の足裏対向面４３に沿った方向とされている。
【００３０】
図１９は前記した振動部３０の一例を示す。図１９に示すように、この振動部３０では、円筒形の外ケース３１６の内部に筒形のコイル３１２が同軸的に収納され、コイル３１２の内側に磁石で形成された振動子３１３、３１３が、スペーサ３１５を挟んで磁極の方向を相互に対向させて配置されている。振動子３１３、３１３の両端部にはバネ部材３１４、３１４が配置されている。これらの各部品が外ケース３１６内に収容されている。コイル３１２に所定の周波数の電気信号を入力すると、磁石で形成された振動子３１３、３１３が矢印Ｘ１，Ｘ２方向に交互に移動し、振動部３０の振動子３１３は振動作用を発揮する。振動方向は外ケース３１６の軸長方向である。入力電気信号の周波数、振幅等を変化させることで、振動部３０の振動の振動数、振幅等を制御できる。そして、図２０に示すように、複数の振動部３０は発泡ウレタン等の高分子材料で形成された保持部３１の格納空間３１ｍに並設状態に保持されている。その他に使用できる振動部を例示すると、リニアモータ型や偏心モータ型の振動部が挙げられる。両者ともに振動させたい周波数にてモータを駆動することで振動を発生する。
【００３１】
図２１に示す例では、ベッドのフット側部材としてのフットボード１１と寝具としての寝具１６（マットレス）との間の隙間に、中間部材９が介在している。図２１に示すように、中間部材９は、フットボード１１と寝具１６（マットレス）との間の隙間に嵌め込まれる部分９ｄと、寝具１６（マットレス）から露出する露出部分９ｕとを有する。中間部材９は使用者の足の足裏があてがわれる足裏対向面９３を有する。足裏対向面９３は、使用者の足の足裏の土踏まず領域に対面するように膨出する膨出部９３ａを有する。中間部材９は足のふくらはぎを載せる部分を有していない。なお、中間部材９の形態はこれに限らない。従って、中間部材９は使用者の足の足裏があてがわれる足裏対向面９３を有せず、ほぼ平坦面としても良い。中間部材９は足に負担がかからない材料を基材として形成することができる。このように基材としては、例えばウレタン樹脂、綿、羽毛、ビーズ、ゲル材料などのうちの少なくとも１種が例示されるが、これらに限定されるものではない。振動伝搬等の事情を考慮して、必要に応じて中間部材９を硬くしても良い。図２１に示すように、フットボード１１に搭載されている振動ユニット３の振動部３０は、中間部材９を介して使用者の足裏面に対向する。よって、中間部材９を介して振動ユニット３の振動部３０は振動を使用者の足の足裏に適度に伝搬させることができる。この場合、使用者の足裏に効果的に振動を与えることができる。図２２に示す例では、振動部３０を保持部３１に内蔵する振動ユニット３は、ベッド本体１から着脱可能とされており、ベッド本体１から外されている。この振動ユニット３は、使用者の足の足裏があてがわれる足裏対向面３ｍを有し、この足裏対向面３ｍは使用者の足裏の土踏まず領域に対面するように膨出する膨出部３ｎを有する。図２３に示す例では、振動部３０を内蔵する振動ユニット３はベッド本体１に据えつけられており、使用者の足裏に対面できるように寝具１６（マットレス）に設置されている。図２２，図２３に示す例では、振動部３０は使用者の足の足裏面に沿って配置されているが、これに限らず、使用者の足の足裏面と交差する方向に配置されていても良い。その他、本発明は上記し且つ図面に示した実施例のみに限定されるものではなく、要旨を逸脱しない範囲内で適宜変更して実施できる。
【産業上の利用可能性】
【００３２】
本発明は使用者が睡眠するベッドに利用することができる。
【図面の簡単な説明】
【００３３】
【図１】振動ユニットをフットボードに取り付けたベッドの正面図である。
【図２】振動ユニットをフットボードに取り付けたベッドの平面図である。
【図３】振動ユニットをフットボードに取り付けたベッドの側面図である。
【図４】振動ユニットをベッドのフットボードに取り付ける形態の一例を示す構成図である。
【図５】他の実施例に係り、振動ユニットをフットボードに取り付けたベッドの部分正面図である。
【図６】他の実施例に係り、第１の振動ユニット及び第２の振動ユニットをフットボードに取り付けたベッドの部分正面図である。
【図７】他の実施例に係り、振動ユニットを内蔵したフットボード及び足枕付近を示す構成図である。
【図８】他の実施例に係り、振動ユニットを内蔵したフットボード及び足枕付近を示す構成図である。
【図９】他の実施例に係り、振動ユニットを内蔵したフットボード及び足枕付近を示す構成図である。
【図１０】他の実施例に係り、加熱部を有する足枕付近を示す断面図である。
【図１１】他の実施例に係り、加熱部を有する足枕付近を示す断面図である。
【図１２】他の実施例に係り、加熱部を有する足枕付近を示す断面図である。
【図１３】他の実施例に係り、延設部を有する足枕付近を示す構成図である。
【図１４】他の実施例に係り、足枕付近を示す構成図である。
【図１５】他の実施例に係り、覆い部を有する足枕付近を示す断面図である。
【図１６】他の実施例に係り、振動ユニットをベッド本体に取り付けた状態を示す構成図である。
【図１７】他の実施例に係り、振動ユニットをベッド本体に取り付けた状態を示す構成図である。
【図１８】他の実施例に係り、振動ユニットをベッド本体に取り付けた状態を示す構成図である。
【図１９】磁気作動式の振動部の内部構造の一例を示す断面図である。
【図２０】振動ユニットの保持部が振動部を保持する状態を示す斜視図である。
【図２１】フッドボードに内蔵されている振動ユニットにより使用者の足裏に振動を与えている状態を示す構成図である。
【図２２】振動ユニットを示す構成図である。
【図２３】振動ユニットをベッド本体に据えつけている状態を示す構成図である。
【符号の説明】
【００３４】
図中、１はベッド本体、１０は載置面、１１はフットボード（フット側部材）、１６は寝具、３は振動ユニット、３０は振動部、３１は保持部、４は足枕、４３は足裏対向面、４４は足側対向面、５は加熱部を示す。
【図１】
2005349005.tif 000003
【図２】
2005349005.tif 000004
【図３】
2005349005.tif 000005
【図４】
2005349005.tif 000006
【図５】
2005349005.tif 000007
【図６】
2005349005.tif 000008
【図７】
2005349005.tif 000009
【図８】
2005349005.tif 000010
【図９】
2005349005.tif 000011
【図１０】
2005349005.tif 000012
【図１１】
2005349005.tif 000013
【図１２】
2005349005.tif 000014
【図１３】
2005349005.tif 000015
【図１４】
2005349005.tif 000016
【図１５】
2005349005.tif 000017
【図１６】
2005349005.tif 000018
【図１７】
2005349005.tif 000019
【図１８】
2005349005.tif 000020
【図１９】
2005349005.tif 000021
【図２０】
2005349005.tif 000022
【図２１】
2005349005.tif 000023
【図２２】
2005349005.tif 000024
【図２３】
2005349005.tif 000025